(57)【要約】【課題】蛍光ランプの発光効率を向上させることができ、且つ意匠性を向上させた照明器具を提供する。【解決手段】照明器具Ａは、下面が開口する細長い箱形状の器具本体１と、器具本体１の長手方向両端側にそれぞれ設けられた一対のソケット３、３と、両ソケット３、３に接続される直管状の蛍光ランプ４と、器具本体１において施工状態で蛍光ランプ４の上方位置に配設される反射板２とを備えている。反射板２において蛍光ランプ４の最冷部近傍には、放熱孔２ａが設けられており、さらに略Ｌ字状の一対の突出片５、５が一片を蛍光ランプ４側に突出させた状態で放熱孔２ａを間にして幅方向両側に取付けられている。また各突出片５の先端側は蛍光ランプ４に接触している。【選択図】図１
2008098114.tif 000002
【特許請求の範囲】
【請求項１】
天井面に取着され内部に蛍光ランプが配設された器具本体と、前記器具本体において施工状態で前記蛍光ランプの上方位置に配設された反射板とを備え、前記反射板において前記蛍光ランプの最冷部近傍に放熱孔を設けるとともに、当該放熱孔周縁の少なくとも一部に前記蛍光ランプ側に向かって突出する遮蔽部を設けたことを特徴とする照明器具。
【請求項２】
前記遮蔽部は、前記反射板又は前記器具本体の何れか一方を切り起こして形成したことを特徴とする請求項１記載の照明器具。
【請求項３】
前記遮蔽部は、ランス加工又はブリッジ加工の何れか一方により形成したことを特徴とする請求項１記載の照明器具。
【請求項４】
前記放熱孔を施工状態で前記蛍光ランプのフィラメント電極の直上となる位置に設けたことを特徴とする請求項１〜３の何れか１項に記載の照明器具。
【発明の詳細な説明】
【技術分野】
【０００１】
本発明は、照明器具に関するものである。
【背景技術】
【０００２】
従来より、図６に示すように、反射板２に複数の放熱孔２ａを設けた照明器具Ａがあった。この照明器具Ａは、下面が開口する細長い箱形状の器具本体１と、器具本体１の長手方向両端側に設けられた一対のソケット３、３と、両端にフィラメント電極（図示せず）が封入され両ソケット３、３を介して器具本体１に取着される直管状の蛍光ランプ４と、器具本体１において蛍光ランプ４の上方に配設された反射板２とを備えており、反射板２には長手方向に沿って放熱孔２ａが一定の間隔で複数設けられている。
【０００３】
この照明器具Ａでは、蛍光ランプ４で発生する熱を放熱孔２ａを通して上方に逃がすことによって蛍光ランプ４の発光管４ａの温度上昇を抑え、発光効率を向上させている。しかしこの場合、蛍光ランプ４から照射された光の一部が放熱孔２ａを通して上方に漏れてしまい、放熱による発光効率の上昇分を半減させるという問題があった。
【０００４】
そこで、放熱による発光効率の上昇分の低下を抑えるために、反射体において蛍光ランプの両端部に対応する部位にのみ通気孔を設けた照明器具が提案されている（例えば、特許文献１参照）。この照明器具は、下面が開口する細長い箱形状の反射体と、反射体の長手方向両端側に設けられた一対のソケットと、ソケットに取付けられる直管形蛍光ランプとを備えており、反射体において蛍光ランプの両端部に対応する部位に通気孔がそれぞれ設けられている。
【０００５】
この照明器具では、反射体において蛍光ランプの両端部に対応する部位に通気孔を設けることによって、蛍光管で発生する熱を通気孔を通して上方に逃がしているので、蛍光ランプの最冷部の温度上昇を抑え、発光効率を向上させることができる。また図６に示す照明器具に比べて、通気孔の数を減らすことによって通気孔を通して上方に漏れる光の量を抑えることができる。従って、蛍光ランプの発光効率を向上させることができるとともに、放熱による発光効率の上昇分の低下を抑えることができる。
【特許文献１】特開平４−３０３５１０号公報（第３頁−第４頁、及び、第１図）
【発明の開示】
【発明が解決しようとする課題】
【０００６】
上述の特許文献１に示した照明器具では、天井面に取付けた際に、反射体に設けた通気孔が下から見え、意匠性が悪いという問題があった。
【０００７】
本発明は上記問題点に鑑みて為されたものであり、その目的とするところは、蛍光ランプの発光効率を向上させることができ、且つ意匠性を向上させた照明器具を提供することにある。
【課題を解決するための手段】
【０００８】
請求項１の発明は、天井面に取着され内部に蛍光ランプが配設された器具本体と、器具本体において施工状態で蛍光ランプの上方位置に配設された反射板とを備え、反射板において蛍光ランプの最冷部近傍に放熱孔を設けるとともに、当該放熱孔周縁の少なくとも一部に蛍光ランプ側に向かって突出する遮蔽部を設けたことを特徴とする。ここに最冷部近傍とは、反射板において蛍光ランプの最冷部に対向する部位のことをいう。
【０００９】
請求項２の発明は、遮蔽部は、反射板又は器具本体の何れか一方を切り起こして形成したことを特徴とする。
【００１０】
請求項３の発明は、遮蔽部は、ランス加工又はブリッジ加工の何れか一方により形成したことを特徴とする。
【００１１】
請求項４の発明は、放熱孔を施工状態で蛍光ランプのフィラメント電極の直上となる位置に設けたことを特徴とする。
【発明の効果】
【００１２】
請求項１の発明によれば、反射板において蛍光ランプの最冷部近傍に最冷部温度を確保するための放熱孔を設けるとともに、放熱孔周縁の少なくとも一部に蛍光ランプ側に向かって突出する遮蔽部を設けることによって、照明器具を天井面に取付けた際に下から放熱孔が見えることがないので、照明器具の意匠性を向上させることができるという効果がある。また、反射板において蛍光ランプの最冷部近傍にのみ放熱孔を設けているので、放熱孔を通して漏れる光の量を少なくすることができ、効率よく放熱することができるという効果もある。
【００１３】
請求項２の発明によれば、遮蔽部を反射板又は器具本体の何れか一方を切り起こして形成することによって、新たに部品を追加しなくてもよいので、部品点数を削減することができ、原価上昇を抑えることができるという効果がある。
【００１４】
請求項３の発明によれば、遮蔽部をランス加工又はブリッジ加工の何れか一方により形成することによって、新たに部品を追加しなくてもよいので、部品点数を削減することができ、原価上昇を抑えることができるという効果がある。
【００１５】
請求項４の発明によれば、放熱孔を施工状態で最冷部近傍であって蛍光ランプのフィラメント電極の直上となる位置に設けることによって、放熱孔を通して上方に逃げる光の量をさらに抑えることができ、さらに効率よく放熱することができるという効果がある。
【発明を実施するための最良の形態】
【００１６】
（第１の実施形態）
第１の実施形態を図１〜図３に基づいて説明する。本実施形態の照明器具Ａは、図１（ｂ）に示すように、例えば天井面６に設けた埋込孔６ａに埋込配設される。
【００１７】
照明器具Ａは、下面が開口する細長い箱形状の器具本体１と、器具本体１の長手方向両端側にそれぞれ設けられた一対のソケット３、３と、両ソケット３、３に接続される直管状の蛍光ランプ４と、器具本体１において施工状態で蛍光ランプ４の上方位置に配設される反射板２とを備えている。
【００１８】
器具本体１は、図１（ａ）に示すように下面が開口する細長い箱形状に形成されており、下面側には外側に突出する鍔部１ａが全周に渡って形成されている。また長手方向両端側には、蛍光ランプ４が接続される一対のソケット３、３がそれぞれ設けられている。この器具本体１は、図１（ｂ）に示すように天井面６に設けた埋込孔６ａに埋込配設されている。
【００１９】
蛍光ランプ４は、直管状の発光管４ａを有しており、発光管４ａの両端側にはフィラメント電極４ｃ、４ｃを保持させた口金４ｂ、４ｂがそれぞれ取着されている。また発光管４ａの内壁には、蛍光体被膜（図示せず）が形成されており、発光管４ａの内部には水銀及びアルゴン等の希ガスが封入されている。この蛍光ランプ４は、両口金４ｂ、４ｂを介してソケット３、３に接続され、さらにソケット３、３を介して図示しない点灯回路に電気的に接続されている。
【００２０】
反射板２は、図３（ａ）に示すように器具本体１の長手方向に沿って細長い平面部を有しており、この平面部は幅方向両端側が所定の角度で斜め下方にそれぞれ折り曲げられている。さらに反射板２の幅方向両端側は、図１（ｂ）に示すように上方に折り曲げられている。この反射板２の平面部において長手方向両端側には、蛍光ランプ４の最冷部（口金４ｂに近い発光管４ａの部位）近傍に図２（ａ）に示すように長孔状の放熱孔２ａ、２ａがそれぞれ設けられている。尚、放熱孔２ａ、２ａの位置は、施工した状態で最冷部近傍であって非発光部をなすフィラメント電極４ｃ、４ｃの直上となる位置であればより好ましい。さらに略Ｌ字状に形成された一対の突出片５、５（図３（ｂ）参照）が、図１（ａ）に示すように一片を蛍光ランプ４側に突出させた状態で放熱孔２ａを間にして幅方向両側に溶接などの方法でそれぞれ取着されており、各突出片５、５の先端側は蛍光ランプ４に接触している（図１（ｂ）参照）。尚、一対の突出片５、５は、放熱孔２ａの長手方向端縁に沿ってそれぞれ取着されている。ここに本実施形態では、一対の突出片５、５で遮蔽部を構成している。
【００２１】
この照明器具Ａでは、反射板２において蛍光ランプ４の最冷部近傍に最冷部温度を確保するための放熱孔２ａを設けるとともに、放熱孔２ａの周縁に蛍光ランプ４側に向かって突出する突出片５、５を設けることによって、天井面６に埋込配設された照明器具ＡをＢの方向（図１（ｂ）参照）から見た際に、突出片５、５に遮られて放熱孔２ａが見えることがないので、照明器具Ａの意匠性を向上させることができる。また、反射板２において蛍光ランプ４の最冷部近傍にのみ放熱孔２ａを設けているので、放熱孔２ａを通して漏れる光の量を少なくすることができ、効率よく放熱することができる。
【００２２】
さらに、突出片５、５を蛍光ランプ４に接触させた場合には、蛍光ランプ４で発生した熱を突出片５、５を介して反射板２又は器具本体１に放熱することができる。従って蛍光ランプ４の最冷部の温度上昇をさらに抑えることができるので、蛍光ランプ４の発光効率をさらに向上させることができる。また反射板２又は器具本体１と空気との間には温度差が生じ、空気の対流が発生するので、蛍光ランプ４で発生した熱を効率よく空気中に放熱することができる。
【００２３】
さらに、施工した状態で最冷部近傍であってフィラメント電極４ｃの直上となる位置に各放熱孔２ａを設けた場合には、放熱孔２ａを通して上方に逃げる光の量をさらに少なくすることができ、さらに効率よく放熱することができる。
【００２４】
尚、本実施形態では、図２（ａ）に示すように長孔状の放熱孔２ａを１個形成しているが、図２（ｂ）に示すように複数の小さい孔をパンチングにより設けて放熱孔２ａ’を形成してもよい。
【００２５】
また、本実施形態では、図３（ｂ）に示す突出片５を用いて説明したが、図３（ｃ）に示すように右側を除く３方向を蛍光ランプ４側に突出させた平面視コ字状の突出片５’を用いてもよい。この場合、突出片５’の開口する一方向を反射板２の長手方向端部側に向けて取付けることで、照明器具Ａを天井面６に取付けた際に、長手方向からも放熱孔２ａを見えないようにすることができる。また両突出片５、５を用いた場合には突出片５を２個取付ける必要があるが、突出片５’を用いた場合には突出片５’を１個取付けるだけでよく、取付性を向上させることができる。
【００２６】
さらに、本実施形態では、天井埋込型の照明器具Ａを例に説明したが、照明器具Ａは本実施形態に限定されるものではなく、天井取付型や天井吊下げ型等であってもよい。また、蛍光ランプ４についても本実施形態に限定されるものではなく、片口金蛍光ランプや円環状の蛍光ランプ等であってもよい。
【００２７】
（第２の実施形態）
第２の実施形態を図４に基づいて説明する。本実施形態の照明器具Ａは、突出片を反射板２又は器具本体１の何れか一方を切り起こして形成した点以外の構成は第１の実施形態と同様であるので、同一の構成要素には同一の符号を付して説明は省略する。
【００２８】
反射板２を切り起こして突出片２ｂを形成した場合について図４（ａ）に基づいて説明する。反射板２において蛍光ランプ４の最冷部近傍には、一対の突出片２ｂ、２ｂが反射板２を切り起こして形成されている。さらに両突出片２ｂ、２ｂの間には放熱孔２ａが形成されており、各突出片２ｂは図４（ａ）に示すようにＣの方向から見た際に放熱孔２ａが見えない角度で斜め下方に折り曲げられている。ここに本照明器具Ａでは、一対の突出片２ｂ、２ｂで遮蔽部を構成している。
【００２９】
この照明器具Ａでは、天井面６に埋込配設された照明器具ＡをＣの方向から見た際に、突出片２ｂに遮られて放熱孔２ａが見えることがないので、蛍光ランプ４の意匠性を向上させることができる。また、反射板２を切り起こして突出片２ｂを形成することによって、新たに部品を追加しなくてもよいので、部品点数を削減することができ、原価上昇を抑えることができる。
【００３０】
また図４（ｂ）に示すように器具本体１を切り起こして突出片７ａを形成してもよい。この場合、図４（ｂ）に示すように器具本体１にはソケット３、３を固定するためのソケット台７、７が設けられており、本実施形態ではソケット台７、７を切り起こして一対の突出片７ａ、７ａが形成されている。さらに両突出片７ａ、７ａの間には放熱孔７ｂが形成されており、各突出片７ａは図４（ｂ）に示すようにＤの方向から見た際に放熱孔７ｂが見えない角度で斜め下方に折り曲げられている。また反射板２には、一対の突出片７ａ、７ａに対応する部位に幅方向寸法が両突出片７ａ、７ａの幅寸法よりも大きい挿通孔２ｄが設けられており、反射板２は両突出片７ａ、７ａを挿通孔２ｄを通して下側に露出させた状態で器具本体１に取着される。ここに本照明器具Ａでは、一対の突出片７ａ、７ａで遮蔽部を構成している。
【００３１】
この照明器具Ａでは、天井面６に埋込配設された照明器具ＡをＤの方向から見た際に、突出片７ａに遮られて放熱孔７ｂが見えることがないので、蛍光ランプ４の意匠性を向上させることができる。また、ソケット台７を切り起こして突出片７ａを形成することによって、新たに部品を追加しなくてもよいので、部品点数を削減することができ、原価上昇を抑えることができる。
【００３２】
尚、突出片２ｂ又は突出片７ａは先端側を蛍光ランプ４に接触させてもよく、接触させることにより蛍光ランプ４で発生した熱を、突出片２ｂ又は突出片７ａを介して反射板２又は器具本体１に放熱させることができる。
【００３３】
（第３の実施形態）
第３の実施形態を図５に基づいて説明する。本実施形態の照明器具Ａは、突出片の代わりにランス加工又はブリッジ加工によって突部を形成した点以外の構成は第１の実施形態と同様であるので、同一の構成要素には同一の符号を付して説明は省略する。ここに、ランス加工とは材料を切り絞り、開口部を作る加工をいい、ブリッジ加工とは材料をブリッジ（橋）状に切り絞る加工をいう。
【００３４】
ランス加工によって突部２ｃを形成した場合について図５（ａ）に基づいて説明する。反射板２において蛍光ランプ４の最冷部近傍には、ランス加工によって形成された突部２ｃが設けられており、突部２ｃにおいて反射板２の長手方向ソケット３側にはランス加工により開口部が形成され、放熱孔２ａを構成している。ここに本照明器具Ａでは、反射板２の長手方向に沿う突部２ｃの両側壁で遮蔽部を構成している。
【００３５】
この照明器具Ａでは、ランス加工により突部２ｃを形成することによって、新たに部品を追加しなくてもよいので、部品点数を削減することができ、原価上昇を抑えることができる。また突部２ｃにおいて反射板２の長手方向ソケット３側に放熱孔２ａを設けているので、下から見た際に放熱孔２ａが見えることがなく、照明器具Ａの意匠性を向上させることができる。
【００３６】
また図５（ｂ）に示すようにブリッジ加工によって突部２ｃ’を形成してもよい。この場合、図５（ｂ）に示すように反射板２において蛍光ランプ４の最冷部近傍には、ブリッジ加工によって断面コ字状の突部２ｃ’が蛍光ランプ４側に突設されており、幅方向両端側で反射板２に一体に連結されている。また、突部２ｃ’において反射板２の長手方向両端側には、ブリッジ加工により開口部が形成されており、放熱孔２ａを構成している。ここに本照明器具Ａでは、反射板２の長手方向に沿う突部２ｃ’の両側壁で遮蔽部を構成している。
【００３７】
この照明器具Ａでは、ブリッジ加工により突部２ｃ’を形成することによって、新たに部品を追加しなくてもよいので、部品点数を削減することができ、原価上昇を抑えることができる。
【００３８】
尚、突部２ｃ及び突部２ｃ’は先端面を蛍光ランプ４に接触させてもよく、接触させることにより蛍光ランプ４で発生した熱を、突部２ｃ又は突部２ｃ’を介して反射板２又は器具本体１に放熱することができる。
【００３９】
また、本実施形態では、反射板２において蛍光ランプ４の最冷部近傍に１個の突部２ｃ又は突部２ｃ’を設けた例で説明したが、突部２ｃ及び突部２ｃ’の個数は本実施形態に限定されるものではなく、最冷部近傍に複数設けてもよい。
【図面の簡単な説明】
【００４０】
【図１】（ａ）は第１の実施形態の照明器具の一部破断せる斜視図である。（ｂ）は同上を幅方向から見た断面図である。
【図２】（ａ）は同上の反射板に設けた放熱孔に突出片を取付ける前の状態を示す一部破断せる斜視図である。（ｂ）は同上の反射板に設けた他の放熱孔に突出片を取付ける前の状態を示す一部破断せる斜視図である。
【図３】（ａ）は同上の反射板に設けた放熱孔に突出片を取付ける状態を示す一部破断せる斜視図である。（ｂ）は同上に取付けられる突出片を示す斜視図である。（ｃ）は同上に取付けられる他の突出片を示す斜視図である。
【図４】（ａ）は第２の実施形態の照明器具を示す幅方向から見た断面図である。（ｂ）は同上の他の照明器具を示す幅方向から見た断面図である。
【図５】（ａ）は第３の実施形態の照明器具を示す一部破断せる斜視図である。（ｂ）は同上の他の照明器具を示す一部破断せる斜視図である。
【図６】従来例の照明器具を示す一部破断せる斜視図である。
【符号の説明】
【００４１】
１    器具本体
２    反射板
２ａ  放熱孔
４    蛍光ランプ
５    突出片（遮蔽部）
６    天井面
Ａ    照明器具
【図１】
2008098114.tif 000003
【図２】
2008098114.tif 000004
【図３】
2008098114.tif 000005
【図４】
2008098114.tif 000006
【図５】
2008098114.tif 000007
【図６】
2008098114.tif 000008